【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
流体材料内の固形物から液体を分離する作業を前記流体材料に対して行うように構成される装置であって、
経路に沿って移動可能なベルト構造体を備え、
前記ベルト構造体は、移動可能な管状構造体に組み立てられるように構成されるベルト部分を有し、
前記管状構造体内にて、前記作業の少なくとも一部が行われるように構成され、
前記管状構造体は、前記流体材料内の固形物から液体を分離するように液体に対する浸透性を有し、
前記管状構造体は、前記ベルト構造体の移動中に、その一端部にて連続的に組み立てられ、かつその他端部にて連続的に分解されるように構成され、
前記経路は、前記組み立てられた管状構造体を通過させる下降部分を有し、
前記下降部分が傾斜して、これによって、前記管状構造体における前記流体材料内の固形物の少なくとも一部が重力の影響を受けて前記下降部分に沿って下方に移動し、前記浸透性の管状構造体の清浄化が容易化するように構成されている装置。
【請求項２】
前記ベルト部分は、前記移動可能な管状構造体を組み立てるように互いに接続される構成である長手方向縁部を有している、請求項１に記載の装置。
【請求項３】
前記長手方向縁部は、スライド可能な接続手段によって着脱可能に互いに接続されるように構成されており、
前記スライド可能な接続手段は２つの接続要素を有し、
前記２つの接続要素は、それらの間に接続をもたらすように互いに協働する構成となっており、
各接続要素は、接触面に加えて、互いに協働するように配置された突起部及び凹部を有しており、
前記２つの接続要素は、実質的に同一の構造を有し、かつ嵌め込み係合するように構成されている、請求項２に記載の装置。
【請求項４】
前記ベルト構造体は、前記ベルト部分に接続される２つの索要素をさらに有し、
前記２つの索要素は、それらの間に前記ベルト部分を支持するように構成されており、
前記索要素は、前記ベルト構造体を前記経路に沿って案内し、かつ駆動するように構成されている、請求項１に記載の装置。
【請求項５】
前記ベルト構造体はエンドレスベルト構造体から構成されており、
前記経路は、前記エンドレスベルト構造体を循環させたエンドレス経路から構成されており、
前記エンドレス経路はガイドローラ構造体を組み入れており、
前記ベルト構造体は、前記索要素を前記ガイドローラ構造体に係合させ、かつ前記ガイドローラ構造体の周りを通過するように構成されており、
前記ガイドローラ構造体は、前記索要素を案内しながら受けるように構成されている、請求項１に記載の装置。
【請求項６】
前記エンドレス経路はガイドローラ構造体を組み入れており、
前記ベルト構造体は、前記索要素を前記ガイドローラ構造体に係合させ、かつ前記ガイドローラ構造体の周りを通過するように構成されており、
前記ガイドローラ構造体は、前記索要素を案内しながら受けるように構成されている、請求項５に記載の装置。
【請求項７】
作業対象である流体材料を前記管状構造体内に導入するように構成された導入手段をさらに備えており、
前記管状構造体内への流体材料の送達に対する制御は、流体が前記傾斜した下降部分の少なくとも一区域に沿って下方に流れ、これによって、固形物が重力の影響によって前記下降部分に沿って下方に移動し、前記管状構造体内における固形物と前記管状構造体自体との間に相対移動がもたらされ、前記浸透性の管状構造体の清浄化が容易化するようになっている、請求項１に記載の装置。
【請求項８】
前記組み立てられた管状構造体を通過させる前記経路の下降部分は、前進する前記管状構造体における傾斜した下降部分のための支持機構をもたらすように構成されている、請求項１に記載の装置。
【請求項９】
前記支持機構は、前記管状構造体内の材料流れの擾乱及び前記管状構造体内の前記材料の拡散を引き起こすように構成されている、請求項８に記載の装置。
【請求項１０】
前記管状構造体における前記傾斜した下降部分に沿った流体材料の流れがその底端部に向かって遅くなり、前記底区域に固形物が堆積し、かつ前記底区域における固形物の堆積が前記管状構造体内の液体流れの遅れを助長する妨害物をもたらすように構成されている請求項１に記載の装置。
【請求項１１】
前記組み立てられた管状構造体を通過させる前記下降部分の底部における前記経路は、ターン区域を有し、
前記ターン区域は、前記管状構造体を前記ターン区域にて周回するように前進させるときに前記管状構造体における連続する区域の半径方向の拡張及び収縮を伝播し、これによって、前記管状構造体内の凝集塊を、前記ターン区域を回って運ぶことを助長するように構成されている、請求項１に記載の装置。
【請求項１２】
前記ターン区域は、前記管状構造体を周回させる外周部を有するターンローラ構造体によって画定され、
前記外周部は、空洞を介在させるように複数の周方向にて互いに離間した部分を有している、請求項１１に記載の装置。
【請求項１３】
前記管状構造体をその一部に沿って加圧するように構成されるプレス手段をさらに備えている請求項１に記載の装置。
【請求項１４】
前記管状構造体の外側部分に係合し、かつ前記管状構造体に付着する液体を排出するように操作可能な液体除去システムをさらに備えている請求項１に記載の装置。
【請求項１５】
流体材料内の固形物から液体を除去する方法であって、
移動可能な管状構造体を組み立てるステップであって、前記管状構造体内では、前記除去作業の少なくとも一部が行なわれるようになっており、前記管状構造体が前記液体に対する浸透性を有する、ステップと、
前記管状構造体を、下降部分を有する経路に沿って移動させるステップと、
前記流体材料を前記管状構造体内に導入する導入ステップであって、導入ステップによって、前記流体材料が前記下降部分に沿って下方に流れ、前記下降部分が傾斜して、これによって、前記固形物の少なくとも一部が重力の影響を受けて前記下降部分に沿って下方に移動し、前記浸透性の管状構造体の清浄化が容易化するようになっている、導入ステップと
を含む方法。
【請求項１６】
前記下降部分に後続の前記経路の部分に沿って、前記管状構造体に加圧作用を加えるステップをさらに含む請求項１５に記載の方法。
【請求項１７】
前記管状構造体内への流体材料の送達に関する制御は、流体が前記傾斜した下降部分の少なくとも一区域に沿って下方に流れ、これによって、固形物が重力の影響によって前記下降部分に沿って下方に移動し、前記管状構造体内の前記固形物と前記管状構造体自体との間に相対移動がもたらされ、前記浸透性の管状構造体の清浄化が容易化するようになっている、請求項１５に記載の装置。
【請求項１８】
前記管状構造体における前記傾斜した下降部分を支持するステップをさらに含み、
前記傾斜した下降部分が、前記管状構造体内の材料流れを擾乱させ、かつ前記管状構造体内の前記材料を拡散させるように支持されている、請求項１５に記載の方法。
【請求項１９】
材料に対する作業を行うように構成される装置であって、
経路に沿って移動可能なベルト構造体を備え、
前記ベルト構造体は、移動可能な管状構造体に組み立てられるように構成されたベルト部分を有し、
前記管状構造体内にて、前記作業の少なくとも一部が行われるように構成され、
前記管状構造体は、前記ベルト構造体の移動中に、その一端部にて連続的に組み立てられ、かつその他端部にて連続的に分解されるように構成され、
前記ベルト部分は、前記移動可能な管状構造体を組み立てるようにスライド可能な接続手段によって互いに接続される構成である長手方向縁部を有し、
前記スライド可能な接続手段は、接続をもたらすように協働する構成である２つの接続要素と、前記エンドレスベルトを経路にて循環させているとき、前記接続要素を互いに係合させて移動させるように前記２つの接続要素に連動して操作可能なスライダとを有し、
前記スライダは、２つの通路を有する本体を含み、
前記２つの通路の各々は、前記接続要素の１つを受け入れるように構成され、
前記２つの通路は、前記接続要素を一緒にして相互接続状態をもたらすための準備段階にて、前記接続要素を位置合わせするように配置されている、装置。